(57)【特許請求の範囲】
【請求項１】
複数の画像を別々に入力し、該複数の画像を用いて出力する出力画像の制御を行う画像制御装置において、
それぞれ入力された異なる第１〜第３の画像を記憶する第１〜第３の画像記憶手段と、
前記第１〜第３の画像とは別に入力される第４の画像を記憶する第４の画像記憶手段と、
前記第１、及び第２の画像記憶手段に記憶された第１、及び第２の画像を合成して第１の合成画像を出力する第１の画像合成手段と、
前記第１の画像、及び前記第１の合成画像を入力し、そのうちの一つを第１の選択画像として選択し出力する第１の選択手段と、
前記第１の選択画像と前記第３の画像を合成して第２の合成画像を出力する第２の画像合成手段と、
前記第２の画像、前記第１の合成画像、及び前記第２の合成画像を入力し、そのうちの一つを第２の選択画像として選択し出力する第２の選択手段と、
前記第４の画像、及び前記第２の選択画像を入力し合成して第３の合成画像を出力する第３の画像合成手段と、
前記第２の合成画像及び前記第３の合成画像の一方を選択して前記出力画像として出力する画像出力手段と、
を具備することを特徴とする画像制御装置。
【発明の詳細な説明】
【技術分野】
【０００１】
本発明は、複数の画像を用いて出力する出力画像の制御を行うための技術に関する。
【背景技術】
【０００２】
画像を扱うのを想定している電子機器では普通、その画像をユーザーが確認できるように、表示装置に表示させる表示機能が搭載されている。その表示機能は、デジタルカメラ等の小型の携帯可能な電子機器である携帯機器にも広く搭載されており、そのような携帯機器のなかには、外部に画像を出力できる出力機能を搭載したものもある。画像制御装置は、その表示機能、更には出力機能を実現させるために携帯機器（電子機器）に搭載される。
【０００３】
図７は、携帯機器に搭載される表示システムの構成を示す図である。
その携帯機器７０は、画像を出力する対象として、テレビジョンＥ１、液晶表示器（ＬＣＤ）Ｅ２、及びＨＤＭＩ（High-Definition Multimedia Interface）端子Ｅ３の３つを想定したものである。その携帯機器７０に搭載される表示システムは、表示コントローラ７１、及びＤＡコンバータ７２を備えた構成となっている。
【０００４】
表示コントローラ７１は、携帯機器７０の制御部（例えばＣＰＵ）からの指示により出力すべき画像を制御、つまり生成し出力するものであり、ダイレクト・メモリ・アクセス・コントローラ（ＤＭＡＣ：Direct Memory Access Controller）７１ａ、スクリーン・コントローラ７１ｂ、ビデオ・エンコーダ７１ｃ、ＬＣＤコントローラ７１ｄ、及びＨＤＭＩコントローラ７１ｅを備えている。上記画像制御装置は通常、この表示コントローラ７１内のスクリーン・コントローラ７１ｂが相当する。
【０００５】
ダイレクト・メモリ・アクセス・コントローラ（以降「ＤＭＡＣ」）７１ａは、制御部による指示に従ってメモリにアクセスし、出力対象となる画像（画像データ）を読み出してスクリーン・コントローラ７１ｂに出力する。スクリーン・コントローラ７１ｂは、ＤＭＡＣ７１ａから入力した画像に対して行うべき加工を行い、出力する。ビデオ・エンコーダ７１ｃ、ＬＣＤコントローラ７１ｄ及びＨＤＭＩコントローラ７１ｅはそれぞれ、スクリーン・コントローラ７１ｂから入力した画像に対し、それを出力するために必要な処理を行い、出力する。それにより、テレビジョンＥ１、若しくは液晶表示器Ｅ２での画像表示、或いはＨＤＭＩ端子を介した外部機器への画像出力に対応している。
【０００６】
図８は、従来のスクリーン・コントローラ７１ｂの回路構成を示す図である。
そのコントローラ７１ｂは、画像を加工する２つの画像出力制御部（これらは画像制御装置の主要部であることから図中「ＣＯＲＥ１」「ＣＯＲＥ２」と表記）８０及び８１を備えている。それら２つの画像出力制御部８０及び８１は基本的に同じ構成である。それにより、構成や動作は画像出力制御部８０に着目して説明を行い、画像出力制御部８１では画像出力制御部８０と異なる部分に着目して説明を行うこととする。
【０００７】
画像出力制御部８０は、図８に示すように、第１及び第２のバッファ８０ａ及び８０ｂ、カラーパレット変換回路８０ｃ、及びミックス回路８０ｄを備えた構成である。
第１及び第２のバッファ８０ａ及び８０ｂは、画像を格納するメモリであり、図７のＤＭＡＣ７１ａにより転送された画像が格納される。図８中に表記の「ＰｉｃＭａｐ１」は撮影により、或いは着脱自在な記録媒体を介して携帯機器７０が取得した画像を表している。また、「ＯｓｄＭａｐ１」は携帯機器７０側で予め用意された、或いはその携帯機器７０が生成した画像を表している。その画像としては、各種設定等を行うためのＯＳＤ（On-Screen Display）画面が代表的なものであることから以降、便宜的に「ＯＳＤ画像」と呼ぶことにする。他方については撮影により得られたものが代表的なものであることから以降、便宜的に「自然画像」或いは「Ｐｉｃ画像」と呼ぶことにする。
【０００８】
ＯＳＤ画像は、例えば画素毎に表示色を示すカラーコードを有する画像データである。カラーパレット変換回路８０ｃは、画素毎に、そのカラーコードを、そのコードに相当する表示色を示す数値である表示色データに変換する。そのような変換を画素データに対して行うことにより、ビットマップイメージのカラー画像データをミックス回路８０ｄに出力する。第１のバッファ８０ａに格納される自然画像は、ビットマップイメージの画像データである。
【０００９】
ミックス回路８０ｄは、第１のバッファ８０ａ及びカラーパレット変換回路８０ｃからそれぞれ画像を入力し、予め定められた優先順位に従ってそれらを合成する。その合成は、例えばカラーパレット変換回路８０ｃから入力したＯＳＤ画像を構成する画素のなかで透明でない画素ではＯＳＤ画像の方の画素データを選択し、透明な画素（ＲＧＢの各データの値が０の画素）では自然画像の方の画素データを選択することで行う。そのようにして、ＯＳＤ画像の方を優先する形で２つの画像を合成し、その合成結果である合成画像を出力する。その合成画像が、ＬＣＤコントローラ７１ｄに入力され、液晶表示器Ｅ２上に表示される。上述したような合成方法であることから、ＯＳＤ画像全体が透明であれば合成画像は自然画像と等しくなる。
【００１０】
一方、画像出力制御部８１も画像出力制御部８０と同じく、図８に示すように、第１及び第２のバッファ８１ａ及び８１ｂ、カラーパレット変換回路８１ｃ、及びミックス回路８１ｄを備えた構成である。しかし、第１及び第２のバッファ８１ａ及び８１ｂには、「ＰｉｃＭａｐ２」及び「ＯｓｄＭａｐ２」と表記したように、画像出力制御部８０とは異なる自然画像、及びＯＳＤ画像を格納可能である。それにより、異なる合成画像をビデオ・エンコーダ７１ｃ及びＨＤＭＩコントローラ７１ｅに入力可能となっている。
【００１１】
図９は、従来のスクリーン・コントローラ７１ｂに搭載される他の画像出力制御部の回路構成を示す図である。
図９（ａ）に示す他の第１の画像出力制御部９１は、第１及び第２のバッファ９１ａ及び９１ｂの後段にブレンド回路９１ｃを配置することにより、ミックス回路９１ｆを用いて、ブレンド回路９１ｃが出力する２つの自然画像をブレンドして得られる合成画像と、カラーパレット変換回路９１ｅが第３のバッファ９１ｄに格納されたＯＳＤ画像をビットマップイメージに変換したものとを合成し出力するようになっている。
【００１２】
図９（ｂ）に示す他の第２の画像出力制御部９２は、第１のバッファ９２ａに格納された自然画像を、カラーパレット変換回路９２ｄが第２のバッファ９２ｂに格納されたＯＳＤ画像をビットマップイメージに変換したものとミックス回路９２ｆにより合成し、その合成画像を、カラーパレット変換回路９２ｅが第３のバッファ９２ｃに格納された別のＯＳＤ画像をビットマップイメージに変換したものとミックス回路９２ｇにより合成し出力するようになっている。
【特許文献１】特開平８−２７２９４３号公報
【特許文献２】特開平８−２７２９９９号公報
【特許文献３】特開平１１−１４６２７５号公報
【発明の開示】
【発明が解決しようとする課題】
【００１３】
従来のスクリーン・コントローラ（画像制御装置）７１ｂは、図８及び図９に示すように、最終的に出力される画像は入力させた画像にのみ依存する回路構成となっていた。つまり、出力可能とすべき画像の種類の仕様に合わせて決定された回路構成となっていた。このため、仕様が異なれば別のスクリーン・コントローラ７１ｂを用意しなければならず、仕様の変更に柔軟に対応できないという問題点があった。
【００１４】
上記仕様に対応できない場合、新たに画像制御装置を設計しなければならず、製品開発を遅らせる原因となりうる。現在では、製品開発サイクルが短くなってきていることもあり、仕様の変更に柔軟に対応できるようにすることは極めて重要であると考えられる。
【００１５】
ソフトウェアによる出力画像の制御を採用した場合には、仕様の変更にも或る程度、柔軟に対応することが可能である。しかし、携帯機器では、搭載する制御部（ＣＰＵ）の負荷が重くなるため、ソフトウェアによる制御は採用が困難なのが実情である。それにより従来は、図８及び図９に示すように、その制御方法は採用されていない。
【００１６】
本発明の課題は、出力可能とすべき画像の種類の仕様の変更に柔軟に対応可能な画像制御装置を提供することにある。
【課題を解決するための手段】
【００１７】
本発明の第１の態様の画像制御装置は、複数の画像を別々に入力し、該複数の画像を用いて出力する出力画像の制御を行う画像制御装置において、それぞれ入力された異なる第１〜第３の画像を記憶する第１〜第３の画像記憶手段と、前記第１〜第３の画像とは別に入力される第４の画像を記憶する第４の画像記憶手段と、前記第１、及び第２の画像記憶手段に記憶された第１、及び第２の画像を合成して第１の合成画像を出力する第１の画像合成手段と、前記第１の画像、及び前記第１の合成画像を入力し、そのうちの一つを第１の選択画像として選択し出力する第１の選択手段と、前記第１の選択画像と前記第３の画像を合成して第２の合成画像を出力する第２の画像合成手段と、前記第２の画像、前記第１の合成画像、及び前記第２の合成画像を入力し、そのうちの一つを第２の選択画像として選択し出力する第２の選択手段と、前記第４の画像、及び前記第２の選択画像を入力し合成して第３の合成画像を出力する第３の画像合成手段と、前記第２の合成画像及び前記第３の合成画像の一方を選択して前記出力画像として出力する画像出力手段と、を具備する。
【発明の効果】
【００１９】
本発明では、それぞれ異なる第１〜第３の画像を入力し、第１、及び第２の画像を合成して第１の合成画像を生成し、第１の画像、及び第１の合成画像を入力し、そのうちの一つを第１の選択画像として選択して出力し、第１の選択画像と第３の画像を合成して第２の合成画像を生成し、その第２の合成画像を出力可能とする。
【００２０】
第２の合成画像の生成のために第３の画像と共に用いる画像は、第１の画像、及び第１の合成画像のなかから選択可能となっている。このため、その選択を通してより多くの種類の画像を生成することができる。それにより、出力可能とすべき画像の種類における携帯機器での仕様の変更にも柔軟に対応可能となって、より迅速な製品開発にも寄与できるようになる。
【００２１】
第２の画像、第１の合成画像、及び第２の合成画像を入力し、そのうちの一つを第２の選択画像として選択して出力し、第１〜第３の画像とは別に入力される第４の画像、及び第２の選択画像を入力し合成して第３の合成画像を生成し、その第３の合成画像を出力可能とした場合には、更に多くの種類の画像を生成することができるようになる。このため、仕様の変更にもより柔軟に幅広く対応可能となる。
【発明を実施するための最良の形態】
【００２２】
以下、本発明の実施形態について、図面を参照しながら詳細に説明する。
図１は、本実施形態による画像制御装置の回路構成を示す図である。その画像制御装置１０は、例えば図７に示すスクリーン・コントローラ７１ｂとして用いることが可能なものである。それにより、本実施形態による携帯機器は、図１に示す画像制御装置１０をそのコントローラ７１ｂの代わりに搭載することで実現される。
【００２３】
図１に示すように、画像制御装置１０は、２つの画像出力制御部１１及び１２、セレクタ１３、ブレンド回路１４、及びスクリーン制御部１５を備えた構成となっている。
画像出力制御部１１は、ＯＳＤ画像格納用の第１のバッファ１１ａ、自然画像格納用の第２のバッファ１１ｄ、第１のバッファ１１ａに格納されたＯＳＤ画像をビットマップイメージのものに変換するカラーパレット変換回路１１ｂ、及びそのビットマップイメージのＯＳＤ画像とブレンド回路１４からの画像とを入力し合成するミックス回路１１ｃを備えている。他方の画像出力制御部１２も同様に、ＯＳＤ画像格納用の第１のバッファ１２ａ、自然画像格納用の第２のバッファ１２ｄ、第１のバッファ１２ａに格納されたＯＳＤ画像をビットマップイメージのものに変換するカラーパレット変換回路１２ｂ、及びそのビットマップイメージのＯＳＤ画像とブレンド回路１４からの画像とを入力し合成するミックス回路１２ｃを備えている。各バッファ１１ａ、１１ｄ、１２ａ及び１２ｄにはそれぞれ、ＤＭＣＡ７１ａにより転送された画像が格納される。
【００２４】
ブレンド回路１４は、自然画像を画像出力制御部１１及び１２からそれぞれ入力し、合成画像を画像出力制御部１１から入力する。セレクタ１３は、画像出力制御部１１及び１２からそれぞれ合成画像を入力し、そのうちの一つを選択して出力する。そのようにして出力される合成画像は、例えば図７のＬＣＤコントローラ７１ｄに入力され、液晶表示器Ｅ２上に表示される。画像出力制御部１２から出力される合成画像は、例えばビデオ・エンコーダ７１ｃ或いはＨＤＭＩコントローラ７１ｅに入力され、外部に出力される。
【００２５】
図２は、上記ブレンド回路１４の回路構成を示す図である。図中に表記の「ａ」〜「ｅ」はそれぞれ端子を表している。端子ａ及びｂからは画像出力制御部１１及び１２から自然画像がそれぞれ入力され、端子ｃからは画像出力制御部１１から合成画像が入力され、端子ｄ及びｅからは画像出力制御部１１及び１２にそれぞれ画像が出力される。以降は便宜的に、画像出力制御部１１から入力される自然画像には「Ｐｉｃ１」、画像出力制御部１２から入力される自然画像には「Ｐｉｃ２」をそれぞれ付すことにする。ブレンド回路１４から出力される画像については、その端子のシンボルを付すことにする。それにより、画像出力制御部１１から入力する合成画像には「ｃ」を付すことにする。また、画像出力制御部１１の第１のバッファ１１ａに格納されるＯＳＤ画像には「ＯＳＤ２」、画像出力制御部１２の第１のバッファ１２ａに格納されるＯＳＤ画像には「ＯＳＤ１」をそれぞれ付すことにする。
【００２６】
図３は、各種画像の例を示す図である。図３（ａ）はＯＳＤ画像ＯＳＤ１、図３（ｂ）はＯＳＤ画像ＯＳＤ２、図３（ｃ）は自然画像Ｐｉｃ１、及び図３（ｅ）は自然画像Ｐｉｃ２の例をそれぞれ示している。図３（ａ）に示すＯＳＤ画像ＯＳＤ１は、各種情報表示や各種設定を可能とするためのものであり、図３（ｂ）に示すＯＳＤ画像ＯＳＤ２は、人物の顔認識されたエリアの位置を枠で通知するためのものである。自然画像Ｐｉｃ１及びＰｉｃ２と同じく、ＯＳＤ画像ＯＳＤ１及びＯＳＤ２は別の種類の画像であっても良い。
【００２７】
図４は、各画像間の合成上の優先関係を説明する図である。手前側に位置する程、優先順位が高く設定されている。それにより、優先関係は、ＯＳＤ画像ＯＳＤ１＞ＯＳＤ画像ＯＳＤ２＞（自然画像Ｐｉｃ１、自然画像Ｐｉｃ２）の順となっている。
【００２８】
図４では、自然画像Ｐｉｃ１は自然画像Ｐｉｃ２よりも優先順位が高いように示している。しかし、それらの間の優先関係は、ブレンディングの仕方、つまり後述する乗算器２１及び２２にそれぞれ設定される係数に応じて変更させることができる。それにより、優先順位を同じにすることや、自然画像Ｐｉｃ２の優先順位の方を高くすることも可能である。
【００２９】
端子ａから入力した自然画像Ｐｉｃ１は、乗算器２１及びセレクタ２４にそれぞれ入力される。乗算器２１は、スクリーン制御部１５により設定された係数を自然画像Ｐｉｃ１の各画素データに乗算する。もう一つの乗算器２２は、端子ｂから入力した自然画像Ｐｉｃ２の各画素データに、スクリーン制御部１５により設定された係数を乗算する。そのような乗算が行われた２つの自然画像Ｐｉｃ１及びＰｉｃ２が、加算器２３により画素毎に加算される。それにより、各乗算器２１及び２２にそれぞれ設定された係数に応じて２つの自然画像Ｐｉｃ１及びＰｉｃ２が重ね合わされるブレンディング（特許文献３）が行われる。そのブレンディングにより、自然画像Ｐｉｃ２は自然画像Ｐｉｃ１に透けて見えるように合成され、図４に示す自然画像Ｐｉｃ１及びＰｉｃ２間の優先関係が満たされるようにしている。そのようなブレンディングにより得られた合成画像、或いは自然画像Ｐｉｃ１がセレクタ２４により選択され、端子ｄから画像ｄとして画像出力制御部１１（のミックス回路１１ｃ）に出力される。
【００３０】
自然画像Ｐｉｃ２は、その合成画像、及び端子ｃから入力した合成画像ｃと共にセレクタ２５に入力される。それにより、それらのうちの一つがセレクタ２５により選択されて端子ｅから画像ｅとして画像出力制御部（のミックス回路１２ｃ）に出力される。セレクタ２４及び２５における選択は、スクリーン制御部１５の制御により行われる。これは、セレクタ１３でも同様である。
【００３１】
図５及び図６は、本実施形態による画像制御装置により実現される出力画像の制御、つまり生成可能な合成画像を説明する図である。次に図５及び図６を参照して、ブレンド回路１４を使用することで生成が可能となる合成画像について具体的に説明する。
【００３２】
図５は、出力画像の制御として、自然画像Ｐｉｃ１をそのまま画像ｄとして出力させる場合のブレンド回路１４の動作、及びその場合に出力可能な画像を示している。図５（ａ）は、ブレンド回路１４の動作を示しており、太線で描画した矢印は画像の流れを表している。これは図６においても同様である。
【００３３】
自然画像Ｐｉｃ１は、例えば乗算器２１及び２２の係数をそれぞれ１及び０とすることにより、加算器２３からそのまま出力される（自然画像Ｐｉｃ２を第２のバッファ１２ｄに格納せず、乗算器２１の係数を１としてもそのまま出力される）。加算器２３から出力された自然画像Ｐｉｃ１は、第１のバッファ１１ａにＯＳＤ画像ＯＳＤ２が格納されていなければ、セレクタ２４、画像出力制御部１１のミックス回路１１ｃ及びセレクタ１３を介してそのまま出力される。それにより、図５（ｂ−１）に示すように、自然画像Ｐｉｃ１をそのまま液晶表示器Ｅ２上に表示させることができる。また、画像出力制御部１２の第１のバッファ１２ａにＯＳＤ画像ＯＳＤ１が格納されていなければ、セレクタ２５及びミックス回路１２ｃを介してそのまま出力される。それにより、図５（ｂ−２）に示すように、自然画像Ｐｉｃ１をテレビジョンＥ１等に表示させることができる。第１のバッファ１２ａにＯＳＤ画像ＯＳＤ１が格納されていれば、ミックス回路１２ｃによりＯＳＤ画像ＯＳＤ１と合成されるため、その合成画像を表示させることができる。
【００３４】
一方、第１のバッファ１１ａにＯＳＤ画像ＯＳＤ２が格納されていれば、自然画像Ｐｉｃ１はミックス回路１１ｃによりＯＳＤ画像ＯＳＤ２と合成される。このため、図３（ｃ−１）に示すその合成画像は液晶表示器Ｅ２上に表示させることができる。画像ｃとして入力されるその合成画像をセレクタ２５により選択すれば、ミックス回路１２ｃによりＯＳＤ画像ＯＳＤ１と合成することができる。それにより、図５（ｃ−２）に示すような合成画像をテレビジョンＥ１等に表示させられるようになる。
【００３５】
図６は、図５に示す動作以外の可能なブレンド回路１４の動作を示している。ここでは、図６（ａ）〜（ｄ）の４つの動作を示している。個別に、ブレンド回路１４の動作、及びその動作によって出力可能な画像について具体的に説明する。
【００３６】
図６（ａ）は、加算器２３を用いて自然画像Ｐｉｃ１及びＰｉｃ２のブレンディングを行う場合のブレンド回路１４の動作を示している。そのブレンディングを行うことにより、液晶表示器Ｅ２上には自然画像Ｐｉｃ１＋自然画像Ｐｉｃ２の合成画像、或いはその合成画像に更にＯＳＤ画像ＯＳＤ２を加えたものを表示させることができる。テレビジョンＥ１等には、それら２つの合成画像に加えて、４つの画像を全て合成したものも表示させることができる。
【００３７】
図６（ｂ）は、自然画像Ｐｉｃ１及びＰｉｃ２をそれぞれそのまま出力させるブレンド回路１４の動作を示している。その動作の場合、液晶表示器Ｅ２上では、自然画像Ｐｉｃ１、或いは自然画像Ｐｉｃ１＋ＯＳＤ画像ＯＳＤ２の合成画像を表示させることができる。テレビジョンＥ１等では、自然画像Ｐｉｃ２、或いは自然画像Ｐｉｃ２＋ＯＳＤ画像ＯＳＤ１の合成画像を表示させることができる。
【００３８】
図６（ｃ）は、自然画像Ｐｉｃ１及びＰｉｃ２のブレンディングを行いつつ、自然画像Ｐｉｃ２をそのまま出力する場合のブレンド回路１４の動作を示している。その動作の場合、液晶表示器Ｅ２上では、自然画像Ｐｉｃ１＋自然画像Ｐｉｃ２の合成画像、或いはその合成画像にＯＳＤ画像ＯＳＤ２を加えた合成画像を表示させることができる。テレビジョンＥ１等では、自然画像Ｐｉｃ２、或いは自然画像Ｐｉｃ２＋ＯＳＤ画像ＯＳＤ１の合成画像を表示させることができる。
【００３９】
図６（ｄ）は、自然画像Ｐｉｃ１及びＰｉｃ２のブレンディングを行いつつ、自然画像Ｐｉｃ１をそのまま出力する場合のブレンド回路１４の動作を示している。その動作の場合、液晶表示器Ｅ２上では、自然画像Ｐｉｃ１、或いは自然画像Ｐｉｃ１＋ＯＳＤ画像ＯＳＤ２の合成画像を表示させることができる。テレビジョンＥ１等では、自然画像Ｐｉｃ１＋自然画像Ｐｉｃ２の合成画像、或いはその合成画像にＯＳＤ画像ＯＳＤ１を加えた合成画像を表示させることができる。
【００４０】
このようにして本実施形態では、乗算器２１及び２２にそれぞれ設定する係数や、各セレクタ１３、２４及び２５の制御により、４つの画像を用いた全ての組み合わせで２つ以上の画像を合成して得られる合成画像を生成できるようになっている。４つの画像をそのまま出力させることも可能である。そのように数多くの種類の画像を出力可能であることから、仕様の変更により変更後の仕様に合った画像制御装置を用意しなければならない確率は低く抑えられる。それにより、仕様の変更に柔軟に対応可能となって、より迅速な携帯機器７０の製品開発にも寄与することができる。つまり、本実施形態による画像制御装置を採用（搭載）することにより、携帯機器７０の製品開発はより容易となる。
【００４１】
なお、本実施形態では、ブレンディング用に２つの乗算器２１及び２２、並びに加算器２３を備えているが、それらの代わりにミックス回路を採用しても良い。また、画像出力制御部１１及び１２はそれぞれ２つの画像を入力するようになっているが、それよりも多くの画像を入力できるようにしても良い。そのようにより多くの画像を入力できるようにした場合には、例えば第１或いは第２のバッファの前段に別のバッファ、及びそのバッファに格納された画像を用いた合成を行うための回路を配置し、その回路から出力される画像を第１或いは第２のバッファに格納するようにしても良い。そのような構成を採用しても、より多くの種類の画像を出力できるようになる。
【図面の簡単な説明】
【００４２】
【図１】本実施形態による画像制御装置の回路構成を示す図である。
【図２】本実施形態による画像制御装置に搭載されたブレンド回路１４の回路構成を示す図である。
【図３】各種画像の例を示す図である。
【図４】各画像間の合成上の優先関係を説明する図である。
【図５】本実施形態による画像制御装置により実現される出力画像の制御を説明する図である（その１）。
【図６】本実施形態による画像制御装置により実現される出力画像の制御を説明する図である（その２）。
【図７】携帯機器に搭載される表示システムの構成を示す図である。
【図８】従来のスクリーン・コントローラ（画像制御装置）７１ｂの回路構成を示す図である。
【図９】従来のスクリーン・コントローラ７１ｂに搭載される他の画像出力制御部の回路構成を示す図である。
【符号の説明】
【００４３】
１０  画像制御装置
１１、１２  画像出力制御部
１１ａ、１２ａ  第１のバッファ
１１ｂ、１２ｂ  第２のバッファ
１１ｃ、１２ｃ  ミックス回路
１１ｄ、１２ｄ  第２のバッファ
１３、２４、２５  セレクタ
１４  ブレンド回路
１５  スクリーン制御部
２１、２２  乗算器
２３  加算器
【図１】
0005444598.tif 000002
【図２】
0005444598.tif 000003
【図３】
0005444598.tif 000004
【図４】
0005444598.tif 000005
【図５】
0005444598.tif 000006
【図６】
0005444598.tif 000007
【図７】
0005444598.tif 000008
【図８】
0005444598.tif 000009
【図９】
0005444598.tif 000010